(57)【要約】【課題】  当初は見えないデザインが表れる趣向性の高い加飾ラベルを提供する。【解決手段】  本発明の加飾ラベル１１は、ラベル基材３の表面に、艶消し層５が設けられ、前記艶消し層５の表面を含んで前記親水化層２が設けられている。【選択図】  図２
2018049063.tif 000002
【特許請求の範囲】
【請求項１】
ラベル基材の表面に、部分的に親水化層が設けられている、加飾ラベル。
【請求項２】
ラベル基材の表面に、艶消し層が設けられ、前記艶消し層の表面を含んで前記親水化層が設けられている、請求項１に記載の加飾ラベル。
【請求項３】
請求項１又は２に記載の加飾ラベルと、平滑な外面を有する容器と、を有し、前記親水化層が設けられた領域を前記平滑な外面に対応させて前記加飾ラベルが前記容器に装着されている、加飾容器。
【発明の詳細な説明】
【技術分野】
【０００１】
本発明は、冷やすと所望のデザインが表れる加飾ラベルなどに関する。
【背景技術】
【０００２】
従来、飲料などの各種の内容物を入れた容器に、加飾目的などで各種のラベルが装着されている。
かかるラベルは、ラベル基材に様々なデザインを印刷することによって加飾されている。
例えば、特許文献１には、合成樹脂製の透明なフィルム層の裏面に、装飾模様が印刷され、そのフィルム層の表面に、装飾模様を上塗りするように、無機微粒子を付着させた凹凸面部が設けられているラベルが開示されている。かかるラベルは、凹凸面部の光沢コントラストが装飾模様に相乗して、見る者に冷たい感じを与えることができる。
従来の加飾ラベルは、ラベルを製造した時点（ラベル完成時）でデザインが見えているが、当初はデザインが見えず、経時的にデザインが生じる加飾ラベルは知られていない。
【先行技術文献】
【特許文献】
【０００３】
【特許文献１】特開２００５−９１８０６号公報
【発明の概要】
【発明が解決しようとする課題】
【０００４】
本発明の目的は、当初は見えないデザインが表れる趣向性の高い加飾ラベルを提供することである。
【課題を解決するための手段】
【０００５】
本発明の加飾ラベルは、ラベル基材の表面に、部分的に親水化層が設けられている。
【０００６】
本発明の好ましい加飾ラベルは、ラベル基材の表面に、艶消し層が設けられ、前記艶消し層の表面を含んで前記親水化層が設けられている。
【０００７】
本発明の別の局面によれば、加飾容器を提供する。
本発明の加飾容器は、上記加飾ラベルと、平滑な外面を有する容器と、を有し、前記親水化層が設けられた領域を前記平滑な外面に対応させて前記加飾ラベルが前記容器に装着されている。
【発明の効果】
【０００８】
本発明の加飾ラベルは容器などの被着体に装着して使用される。加飾ラベルが装着された被着体を冷やし、これを大気下に置くと、親水化層が設けられた領域に水滴が生じない一方で、親水化層が設けられていない領域に水滴が付着するので、その外観差により、加飾ラベルの表面にデザインが表れるようになる。本発明の加飾ラベル及び加飾容器は、当初は見えないデザインが表れ、高い趣向性を有する。
【図面の簡単な説明】
【０００９】
【図１】第１実施形態の加飾ラベルの斜視図。
【図２】図１のＩＩ−ＩＩ線で切断した断面図。
【図３】第１実施形態の変形例の加飾ラベルを、ＩＩ−ＩＩ線と同様な方向で切断した断面図。
【図４】（ａ）、（ｂ）ともに、親水化層が設けられた領域と親水化層が設けられていない部分領域を模式図的に表した参考正面図。
【図５】容器の正面図。
【図６】同容器の上面図。
【図７】加飾容器の正面図。
【図８】加飾ラベルの親水化層によってデザインが表れる原理を模式的に表した参考断面図。
【図９】第２実施形態の加飾ラベルの被着体への装着方法を示す上面図。
【図１０】第２実施形態の加飾ラベルを表面側から見た平面図。
【図１１】図１０のＸＩ−ＸＩ線で切断した断面図。
【図１２】第３実施形態の加飾ラベルを表面側から見た平面図。
【図１３】図１２のＸＩＩＩ−ＸＩＩＩ線で切断した断面図。
【発明を実施するための形態】
【００１０】
以下、本発明について、図面を参照しつつ具体的に説明する。
なお、「〜」で表される数値範囲は、「〜」の前後の数値を下限値及び上限値として含む数値範囲を意味する。
各図に示される層、部分及び部材の寸法、縮尺及び形状は、実際のものとは異なっている場合があることに留意されたい。
【００１１】
［第１実施形態］
第１実施形態は、筒状に形成された加飾ラベルに関する。
図１は、第１実施形態の加飾ラベルを筒状に開いた状態を示し、図２は、その加飾ラベルを横方向において切断した断面図である。
図１及び図２において、第１実施形態の加飾ラベル１１は、親水化層２などを有するラベル基材３を、親水化層２を外側にして筒状に形成した筒状体である。
筒状に形成された本実施形態の加飾ラベル１１は、その製造・保管時には、通常、扁平状に折り畳まれおり（扁平状の状態は不図示）、容器などの被着体に装着する際に、図１に示すように筒状に開口される。
【００１２】
加飾ラベル１１は、前記ラベル基材３をその裏面側を内側にして筒状に丸め、その第１側端部３ａの表面に第２側端部３ｂの裏面を重ね合わせ、その重ね合わせ面を接着することによって筒状に形成される。前記ラベル基材３の第１側端部３ａと第２側端部３ｂは、ラベル基材３の縦方向に延在する端部であり、第１側端部３ａと第２側端部３ｂは横方向において向かい合った端部である。なお、前記横方向は、筒状に形成された加飾ラベル１１の周方向に相当し、前記縦方向は、前記横方向と直交する方向であり、筒状に形成された加飾ラベル１１の軸方向に相当する。
前記重ね合わせ面（第１側端部３ａの表面と第２側端部３ｂの裏面）の接着方法は、特に限定されず、溶剤を用いた溶着、接着剤を用いた接着などが挙げられる。なお、前記重ね合わせ面を接着した部分は、シール部とも呼ばれる。
【００１３】
筒状に形成する前のラベル基材３は、平面視略矩形状に形成されている。
本実施形態のラベル基材３としては、代表的には、熱収縮性フィルム、自己伸縮性フィルムが用いられる。
前記熱収縮性フィルムは、熱を加えると所定方向に収縮する性質を有するフィルムであり、前記自己伸縮性フィルムは、引張ると拡張し、引張り力を解除するとほぼ元の形状に戻る性質を有するフィルムである。なお、熱収縮性フィルムは、自己伸縮性を併有していてもよい。
前記ラベル基材３の材質は特に限定されない。熱収縮性フィルムの場合には、例えば、ポリエチレンテレフタレートなどのポリエステル系樹脂、ポリエチレン、ポリプロピレン、環状オレフィンなどのオレフィン系樹脂、スチレン−ブタジエン共重合体などのスチレン系樹脂、塩化ビニル系樹脂などの熱可塑性樹脂を含む延伸フィルムが挙げられる。また、自己伸縮性フィルムの場合には、例えば、ポリエチレンなどのオレフィン系樹脂、エチレン酢酸ビニル共重合体などの熱可塑性樹脂を含むフィルムなどが挙げられる。ラベル基材３は、１層構造の単層フィルムでもよく、２層以上の樹脂層が積層された積層フィルムでもよい。
【００１４】
ラベル基材３の表面が加飾ラベル１１の最表面を構成する場合には、そのラベル基材３は、少なくとも表面層が前記ポリエステル系樹脂又はスチレン系樹脂で形成されていることが好ましい。例えば、ラベル基材は、ポリエステル系樹脂若しくはスチレン系樹脂の単層フィルム、或いは、少なくとも表面層がポリエステル系樹脂層若しくはスチレン系樹脂層又は少なくとも表面層及び裏面層がポリエステル系樹脂層若しくはスチレン系樹脂層である積層フィルムが好ましい。
前記ポリエステル系樹脂としては、ジカルボン酸成分又はジオール成分の一部が変性されたポリエチレンテレフタレートが好ましい。その変性成分としては、イソフタル酸、１，４−シクロヘキサンジメタノール、ネオペンチルグリコールが好ましい。前記変性成分の含有量としては、ジオール成分とジカルボン酸成分の合計を１００モル％とした場合に、２．５モル％〜４０モル％が例示される。
前記スチレン系樹脂としては、スチレン−ジエン共重合体又はその水添物若しくはこれらの組み合わせが好ましい。スチレン成分とジエン成分の重合形態は、特に限定されないが、ブロック共重合が好ましい。ジエン成分としては、ブタジエンが好ましい。スチレン成分の含有量としては、スチレン系樹脂を１００重量％とした場合に、６０重量％〜９５重量％が好ましい。
【００１５】
ラベル基材３は、透明（無色透明又は有色透明）又は不透明のいずれでもよい。ラベル基材３の裏面側にデザイン印刷層４を設ける場合には、透明なラベル基材３が用いられる。
ラベル基材３の厚みは、特に限定されず、例えば、２０μｍ〜１００μｍであり、好ましくは３０μｍ〜８０μｍである。
【００１６】
以下、本実施形態において、ラベル基材３として熱収縮性フィルムを用いた場合を主として説明する。
ラベル基材３が熱収縮性フィルムである筒状の加飾ラベル１１は、熱収縮によって被着体に装着できる、いわゆるシュリンクラベルである。
前記熱収縮性フィルムは、少なくとも横方向に主として熱収縮するフィルムが用いられ、縦方向に熱変化するフィルムを用いてもよい。ラベル基材３を筒状にした際（つまり、ラベル基材３を用いて筒状の加飾ラベル１１を形成した際）、前記熱収縮性フィルムの横方向は、周方向となる。かかる熱収縮性フィルムとしては、横方向に主として延伸された１軸延伸又は２軸延伸フィルムを用いることができる。
前記熱収縮性フィルムの横方向（熱収縮方向）における熱収縮率は、特に限定されないが、好ましくは３０％以上であり、より好ましくは４０％以上である。なお、前記横方向における熱収縮率は、大きいほど好ましいが、それにも自ずと限界があるため、前記横方向における熱収縮率は、理論上、１００％未満であるが、通常、８５％以下である。前記熱収縮性フィルムが縦方向に熱変化（熱収縮又は熱伸長）するフィルムであってもよい。その場合の熱収縮性フィルムの縦方向の熱収縮率は、例えば、−３％〜１５％である。なお、熱収縮率のマイナスは、熱伸張を意味する。
ただし、前記熱収縮率は、加熱前のフィルムの長さ（元の長さ）と、９０℃の温水中に１０秒間浸漬した後のフィルムの長さ（浸漬後の長さ）を、下記式に代入して求められる。
前記熱収縮率（％）＝［｛（横方向又は縦方向の元の長さ）−（横方向又は縦方向の浸漬後の長さ）｝／（横方向又は縦方向の元の長さ）］×１００。
【００１７】
前記ラベル基材３には、デザインを表示したデザイン印刷層４が設けられている。デザイン印刷層４は、従来公知の印刷インキを用いて形成できる。デザイン印刷層４によって表されるデザインは、特に限定されず、例えば、所望の文字、記号、絵柄、バーコードなどの機械的読み取り記号などである。なお、デザイン印刷層４のデザインは、当初から見えている。
デザイン印刷層４は、ラベル基材３の表面側、又は、表面側及び裏面側の双方に設けられていてもよいが、ラベル基材３の裏面側に設けられていることが好ましい。また、前記重ね合わせ面を溶剤を用いて強固に接着するため、重ね合わせ面はラベル基材３そのものが露出していることが好ましい。換言すると、第１側端部３ａの表面は、ラベル基材３そのものの面であり、第２側端部３ｂの裏面は、ラベル基材３そのものの面であることが好ましい。
【００１８】
ラベル基材３の裏面側にデザイン印刷層４を設ける場合には、第２側端部３ｂの裏面のシール部を除いたラベル基材３の裏面内にデザイン印刷層４が設けられていることが好ましい。また、ラベル基材３の表面側にデザイン印刷層４を設ける場合には、第１側端部３ａの表面のシール部を除いたラベル基材３の表面内にデザイン印刷層４が設けられていることが好ましい。デザイン印刷層４は、第２側端部３ｂの裏面を除いたラベル基材３の裏面内又は／及び第１側端部３ａの表面を除いたラベル基材３の表面内において、全体的に設けられていてもよい。或いは、図３に示すように、デザイン印刷層４は、第２側端部３ｂの裏面を除いたラベル基材３の裏面内の一部分に又は／及び第１側端部３ａの表面を除いたラベル基材３の表面内の一部分に設けられていてもよい。図３は、第１実施形態の変形例に係る加飾ラベル１１を横方向において切断した断面図である。
なお、必要に応じて、第２側端部３ｂの裏面を除いたラベル基材３の裏面内に（デザイン印刷層４が設けられている箇所では、その印刷層４の裏面に）、滑り成分を含む滑り層などが設けられていてもよい（図示せず）。
【００１９】
また、前記ラベル基材３には、艶消し層５が設けられている。艶消し層５は、必要に応じて設けられる。
前記艶消し層５は、艶消し剤を含む層であって、マット調の外観を呈する層である。また、艶消し層５に着色剤を含有させることにより、有色透明の艶消し層５を構成してもよい。
艶消し層５は、ラベル基材３の表面側に設けられる。艶消し層５は、ラベル基材３の表面に直接設けられていてもよい。また、上述のように、ラベル基材３の表面にデザイン印刷層４が設けられている場合、艶消し層５は、そのデザイン印刷層４の表面に設けられていてもよい（図示せず）。或いは、ラベル基材３の表面に透明な樹脂層が設けられ且つその透明な樹脂層の表面に艶消し層５が設けられていてもよい（図示せず）。
艶消し層５は、ラベル基材３の表面全体に設けられていてもよいが、上述のように重ね合わせ面を溶剤を用いて強固に接着するため、第１側端部３ａの表面を除いたラベル基材３の表面内に設けられていることが好ましい。かかる艶消し層５は、第１側端部３ａの表面を除いたラベル基材３の表面内において全体的に設けられていてもよい。或いは、図３に示すように、艶消し層５は、第１側端部３ａの表面を除いたラベル基材３の表面内の一部分に設けられていてもよい。図２に示す例では、親水化層２以外の領域においては、艶消し層５の表面が加飾ラベル１１の最表面を成している。図３に示す例では、親水化層２以外の領域においては、艶消し層５の表面とラベル基材３の表面が加飾ラベル１１の最表面を成している。
【００２０】
艶消し層５は、艶消し剤及びバインダー樹脂を含み、必要に応じて、各種の添加剤を含んでいてもよい。
前記艶消し剤は、艶消し作用を有するものであれば特に限定されず、例えば、アクリルビーズ、中空アクリルビーズ、メラミン樹脂などの有機粒子；シリカ、アルミナ、炭酸カルシウム、硫酸バリウムなどの無機粒子などが挙げられる。これらの粒子は１種単独で又は２種以上を併用できる。艶消し剤の粒子の平均粒子径は、例えば、０．２μｍ〜５μｍである。前記平均粒子径は、体積基準の粒度分布におけるメディアン径（Ｄ５０）である。
【００２１】
前記バインダー樹脂としては、特に限定されず、例えば、ポリエステル系樹脂、ポリ塩化ビニル系樹脂、ポリ酢酸ビニル系樹脂、セルロース系樹脂、アクリル系樹脂、ウレタン系樹脂などの熱可塑性樹脂が挙げられる。バインダー樹脂は、１種単独で又は２種以上を併用できる。好ましくは、前記バインダー樹脂は、アクリル系樹脂又はウレタン系樹脂を主成分として含む。
前記添加剤として、例えば、着色剤、沈降防止剤、滑剤、分散安定剤、充填剤、酸化防止剤、紫外線吸収剤、帯電防止剤、難燃剤などが挙げられる。
前記艶消し剤の含有量は、特に限定されないが、余りに少ないと艶消し効果を十分に奏さず、余りに多いと白っぽくなることから、艶消し層５の全体を１００重量％とした場合に、５重量％〜６０重量％が好ましく、１０重量％〜５０重量％がより好ましい。また、バインダー樹脂の含有量は、特に限定されないが、艶消し層５の全体を１００重量％とした場合に、例えば、４０重量％〜９５重量％であり、好ましくは、５０重量％〜９０重量％である。
前記艶消し層５の形成方法は、特に限定されず、艶消し層形成材料を、公知の印刷法、塗工法などによってラベル基材３に塗布し、固化させることによって形成できる。マットインキを用いて印刷法で形成した艶消し層５は、艶消し印刷層と言える。
艶消し層５の厚みは、特に限定されず、例えば、０．５μｍ〜５μｍである。
【００２２】
ラベル基材３の表面側には、親水化層２が部分的に設けられている。親水化層２は、無色透明であり、加飾ラベル１１の表面側及び裏面側から視認困難である。
親水化層２は、その親水化層２が設けられた領域において、親水化層２の表面が加飾ラベル１１の最表面を成すように設けられる。
上記のようにラベル基材３の表面に直接的に艶消し層５が設けられている場合には、艶消し層５の表面に親水化層２が部分的に設けられる。また、図３に示すように、艶消し層５が一部分に設けられている場合には、親水化層２は、艶消し層５とラベル基材３の表面に跨がって設けられていてもよい。
親水化層２は、（１）それ単独で所望のデザインを表す平面視形状に形成されている、或いは、（２）デザイン印刷層と相俟って所望のデザインを表すように形成されている、或いは、（３）デザイン印刷層のデザインを鮮明に見せることができるように形成されている。
【００２３】
前記（１）において、親水化層２の単独で表されるデザインは、特に限定されず、文字、記号、図形などの任意のものである。図１では、便宜上、親水化層２は、所望のデザインである文字「Ａ」を描くような形状に設けられている場合を図示している。
親水化層２は、平面視において所望のデザインを直接表すような平面視形状に形成されていてもよく、平面視において所望のデザインの輪郭を表すような平面視形状に形成されていてもよい。
前記所望のデザインを直接表すような平面視形状は、塗り潰してデザインを表すことをいい、例えば、図４（ａ）に示すように、デザインが文字「Ａ」の場合には、そのＡの文字を親水化層２で直接描くことをいう。図１及び図２では、親水化層２は、図４（ａ）の所望のデザインを直接表すような平面視形状に形成されている。
前記所望のデザインの輪郭を表すような平面視形状は、デザインの周りを表すことをいい、例えば、図４（ｂ）に示すように、デザインが文字「Ａ」の場合には、そのＡの周りに親水化層２を配置して親水化層２で囲われた部分（親水化層２を有さない部分であって、後述する非親水化面）にデザインを表す、所謂白抜き文字的なことをいう。
なお、図４において、無数のドットが付加された部分は、親水化層が設けられた領域を示し、白地部分は、親水化層が設けられていない領域を示す。
単独でデザインを表す親水化層２は、デザイン印刷層の一部又は全部に重なるように設けられていてもよく、或いは、デザイン印刷層を有さない無色透明な領域に設けられていてもよい。無色透明な領域に単独でデザインを表す親水化層２が設けられていることにより、デザイン印刷層のデザインに邪魔されずに、親水化層２にて表されるデザインが目立つため好ましい。
【００２４】
前記（２）において、親水化層２は、デザイン印刷層で表されたデザインの一部分に重なって形成される。例えば、デザイン印刷層が、金属色の印刷層で構成されている場合（この場合、デザイン印刷層で金属光沢のデザインがラベルに付与されている）、その金属色の印刷層の一部分に重なるように親水化層２が設けられる。後述するように親水化層２の表面は結露しないので、金属色の印刷層の一部分に対応するラベル表面が結露せず、一方、金属色の印刷層の一部分に対応するラベル表面が結露するので、金属色と結露及び非結露とによって意匠性が向上する。
なお、デザイン印刷層として金属色の印刷層を例示したが、それが、金属色以外の色彩の単一色の印刷層であってもよい。
【００２５】
前記（３）において、親水化層２は、デザイン印刷層で表されたデザインを含んで所望の平面視形状（例えば、デザイン印刷層のデザインを取り囲むような形状）にベタ状に設けられる。例えば、デザイン印刷層にバーコードなどの機械的読み取り記号が表されている場合、その機械的読み取り記号を含む所望の範囲（例えば、平面視略矩形状の範囲）に、親水化層２がベタ状に設けられる。後述するように親水化層２の表面は結露しないので、このように親水化層２を設けることにより、デザイン印刷層のデザインが比較的鮮明に見えるようになる。
【００２６】
親水化層２は、親水化剤を塗工することによって形成できる。
親水化剤としては、特に限定されず、例えば、脂肪族スルホン酸塩、高級アルコール硫酸エステル塩などのアニオン系界面活性剤；第４級アンモニウム塩などのカチオン系界面活性剤；ポリエチレングリコール脂肪酸エステル、ポリグリセリン脂肪酸エステル、ソルビタン脂肪酸エステル等のノニオン系界面活性剤；ポリオキシアルキレン変性シリコーン等のシリコーン系界面活性剤などが挙げられる。また、親水化剤として、親水性樹脂を用いてもよい。前記親水性樹脂は、水酸基やカルボキシ基などの親水性官能基を多く含む樹脂であり、例えば、親水性ウレタン樹脂、親水性アクリル樹脂、親水性ポリエステル樹脂、ポリビニルアルコールなどが挙げられる。
親水化剤の塗工方法は、特に限定されないが、所望の範囲に簡単に塗工できることから、従来公知の各種の印刷法が好ましい。親水化剤を印刷に適した粘度に調整し、親水化剤を印刷法で形成した親水化層２は、親水化印刷層と言える。
親水化層２の厚みは、特に限定されず、例えば、０．１μｍ〜５μｍである。
【００２７】
親水化層２を設けることにより、親水化層２の表面の濡れ性が、親水化層以外（親水化層２が設けられていない領域）の表面の濡れ性よりも向上する。前記親水化層以外の表面は、ラベル基材３の表面に相当し、そのラベル基材３の表面に艶消し層５などが設けられている場合にはその艶消し層５などの表面に相当する。以下、親水化層以外の表面を「非親水化面」という場合がある。
【００２８】
前記濡れ性は、水に対する静的接触角により指標できる。親水化層２の表面の水に対する静的接触角は、非親水化面の水に対する静的接触角よりも小さい。親水化層２の表面の静的接触角は、特に限定されないが、それが余りに大きすぎると水分が膜状に拡がり難くなることから、親水化層２の表面の水に対する静的接触角は、例えば、３０°以下であり、好ましくは、２０°以下であり、より好ましくは、１５°以下である。非親水化面の水に対する静的接触角は、例えば、３５°〜９５°であり、好ましくは、４０°〜８５°であり、より好ましくは、４５°〜７５°である。非親水化面の静的接触角と親水化層２の表面の静的接触角との差（非親水化面の静的接触角−親水化層２の表面の静的接触角）は、例えば、１０°以上であり、好ましくは、２０°以上であり、より好ましくは、３０°以上である。
前記静的接触角は、接触角計（協和界面科学株式会社製）を用いて測定できる。具体的には、加飾ラベルの一部を切り取ってサンプルを得、常温常圧下で、親水化層の表面（非親水化面の測定では非親水化面）を上向きにして平坦な支持台に前記サンプルを固定し、その親水化層の表面に純水を滴下した後、接触角計（協和界面科学株式会社製）を用いて静的接触角を測定する。
【００２９】
上記加飾ラベル１１は、被着体に装着して使用される。
被着体としては、特に限定されないが、代表的には、内容物が充填された容器などが挙げられる。内容物は、特に限定されず、飲料などの液状食品、ゼリーなどのゲル状食品、顆粒調味料などの固形食品、医薬品などが挙げられる、特に、冷やして保存される内容物が充填された容器に、本発明の加飾ラベル１１を装着することが好ましい。
容器８は、図５及び図６に示すように、容器本体８１と、容器本体８１の注出口を閉塞するキャップ部８２と、を有する。容器本体８１は、自立面となる底部８１１と、内容物を収容する収容空間を構成する胴部８１２と、胴部８１２の上方に形成され且つ上方に向かうに従って縮径した肩部８１３と、を有し、前記肩部８１３の上方にキャップ部８２が開閉可能に取り付けられている。
容器本体８１の胴部８１２の外形は、特に限定されず、図示したような略円柱状、その他図示しないが、略楕円柱状、略四角柱状、略六角柱状などの略多角柱状、略円錐台状、略楕円錐台状、略四角錐台状などの略多角錐台状、略だるま形状、略瓢箪形状などでもよい。
本発明において、形状の「略」は、本発明の属する技術分野において許容される形状を意味する。前記略円柱状などの「略」は、例えば、周の一部が僅かに膨らむ又は窪んでいる形状、周の一部が若干直線又は斜線とされた形状などが含まれる。前記略四角柱状などの「略」は、例えば、角部が面取りされている形状、辺の一部が僅かに膨らむ又は窪んでいる形状、辺が若干湾曲している形状などが含まれる。
【００３０】
好ましくは、容器本体８１の胴部８１２及び肩部８１３の少なくとも一方は、平滑な外面を有し、より好ましくは、容器本体８１の胴部８１２及び肩部８１３の少なくとも一方は、全体的に平滑な外面を有する。なお、平滑な外面は、実質的に有意な凹凸を有さない外面という意味であり、平面のような２次元的な平滑面、曲面のような３次元的な平滑面のいずれも含まれる。図示例では、胴部８１２の外面は、平滑な曲面を有する略円筒状であり、肩部８１３の外面は、平滑な曲面を有する略円錐台状である。
容器本体８１及びキャップ部８２の材質は特に限定されず、例えば、合成樹脂、ガラス、陶器、金属などが挙げられる。熱伝導性に優れていることから、容器本体８１は金属で形成されていることが好ましい。
【００３１】
上記加飾ラベル１１を筒状に開いて容器８に被せ、それを加熱する。加飾ラベル１１が熱収縮することによって、親水化層２が設けられた領域及びその周辺領域を含む加飾ラベル１１の裏面が容器本体８１に略密着し、図７に示すような加飾容器９が得られる。
加飾ラベル１１は、親水化層２が設けられた領域が容器８の平滑な外面に対応するようにして装着される。図示例のように、全体的に平滑な外面とされている胴部８１２及び肩部８１３を有する容器８にあっては、容器本体８１に加飾ラベル１１を装着することにより、親水化層２が設けられた領域が平滑な外面に密着した加飾容器９が得られる。なお、図示例では、加飾ラベル３は、肩部８１３から胴部８１２に亘って装着されているが、胴部８１２のみに装着されていてもよい（図示せず）。
加飾ラベル１１に対する加熱温度は所定の温度で設定でき、加飾ラベル１１の表面を基準にして、例えば、６０℃〜１２０℃であり、好ましくは８０℃〜１１０℃である。加熱手段も特に限定されず、例えば、スチーム、１００℃〜２５０℃程度の温風などが挙げられる。
【００３２】
上記加飾容器９を冷蔵庫などに入れて冷やし、これを室温下に取り出すと、加飾容器９の内外温度差により、加飾ラベル１１の表面に水分が付着する。
親水化層２の表面に付着した水分は、図８に示すように、親水化層２の表面に拡がり、水膜Ｘを成す。一方、非親水化面に付着した水分は、同図に示すように、水滴Ｙとなって密集しつつ散在するようになる。このように加飾ラベル１１の表面に水膜と水滴が生じ、水膜Ｘの部分と水滴Ｙの部分の光の屈折率の差により、親水化層２によって描かれたデザインが顕在化する。
本発明の加飾ラベル１１によれば、容器８などの被着体の内部と外部において温度差を有さない場合には、親水化層２によって表されたデザインが見えず、被着体の内部温度が外部温度よりも低い大気中などに加飾容器９が置かれると、親水化層２によって潜在的に表されたデザインが見えるようになる。特に、容器８の平滑な外面に対応して加飾ラベル１１が装着されている加飾容器９にあっては、容器８内の温度が加飾ラベル１１の表面に伝わりやすく、極めて短時間のうちに前記デザインが顕在化するようになる。
このように本発明によれば、当初は見えていなかったデザインが表れるようになり、使用者の興味を喚起する趣向性の高い加飾ラベル及び加飾容器を提供できる。
【００３３】
本発明は、上記第１実施形態に限られず、様々に変更することができる。
以下、本発明の様々な他の実施形態を説明するが、上記第１実施形態と同様の構成及び効果は、（その説明をしたものとして）説明を省略し、用語及び符号をそのまま援用する。
【００３４】
［第２実施形態］
第２実施形態は、被着体に巻き付けて筒状に形成される加飾ラベルに関する。
図９に示すように、本実施形態の加飾ラベル１２は、枚葉状であり、その第１側端部３ａの裏面を容器などの被着体８の外面に部分的に接着し、加飾ラベル１２を前記被着体８の周囲に巻き付け、前記第１側端部３ａの表面に加飾ラベル１２の第２側端部３ｂの裏面を接着することにより、筒状に成形される。
図１０は、第２実施形態の加飾ラベルの平面図であり、図１１は、その加飾ラベルを横方向において切断した断面図である。
加飾ラベル１２は、図１０に示すように、平面視略矩形状に形成されている。
第２実施形態の加飾ラベル１２も、第１実施形態と同様に、ラベル基材３と、デザイン印刷層４と、艶消し層５と、親水化層２と、を有し、必要に応じて、滑り層（図示せず）などを有する。
【００３５】
本実施形態において、ラベル基材３は、熱収縮性フィルム又は自己伸縮性フィルムを用いてもよく、或いは、熱収縮性及び自己伸縮性を有さないフィルムを用いてもよい。熱収縮性及び自己伸縮性を有さないフィルムとしては、合成樹脂フィルムのほか、紙、合成紙などが挙げられる。
また、デザイン印刷層４は、上記第１実施形態と同様に、ラベル基材３の表面側又は／及び裏面側に設けられ、好ましくは、裏面側に設けられる。
なお、上記第１実施形態のように、ラベル基材３の第１側端部３ａの表面に第２側端部３ｂの裏面を予め接着して筒状に形成された加飾ラベル１２は、その重ね合わせ面（第１側端部３ａの表面と第２側端部３ｂの裏面）が溶剤を用いて溶着されることが多く、かかる溶剤を用いた接着を強固にするため、デザイン印刷層４は、第２側端部３ｂの裏面を除いて設けられている。
一方、本実施形態のように、被着体に巻き付けて装着するタイプの加飾ラベル１２も、第１側端部３ａの表面に第２側端部３ｂの裏面を接着するが、通常、重ね合わせ面は接着剤（又は粘着剤）を用いて接着するため、第２側端部３ｂの裏面にもデザイン印刷層４が設けられていてもよい。もちろん、第２側端部３ｂの裏面にデザイン印刷層４が設けられていなくてもよい。
艶消し層５は、上記第１実施形態と同様に、ラベル基材３の表面側に設けられるが、同様の理由から、第１側端部３ａの表面にも艶消し層５が設けられていてもよい。もちろん、第１側端部３ａの表面に艶消し層５が設けられていなくてもよい。
親水化層２は、上記第１実施形態と同様に、加飾ラベル１２の最表面を構成するように設けられるが、同様の理由から、第１側端部３ａの表面にも親水化層２が設けられていてもよい。もちろん、第１側端部３ａの表面に親水化層２が設けられていなくてもよい。
【００３６】
本実施形態の加飾ラベル１２は、図９に示すように、第１側端部３ａの裏面を、接着剤などを用いて容器などの被着体８に貼り付け、これを被着体８の周方向に巻き付けた後、第１側端部３ａの表面に、接着剤などを用いて第２側端部３ｂの裏面を接着する。このようにして加飾ラベル１２が容器に装着された加飾容器（図示せず）が得られる。
なお、ラベル基材３として熱収縮性フィルムを用いた場合には、巻き付けて容器などの被着体に装着した加飾ラベル１２を加熱し、熱収縮させることによって被着体に密着させる。
本実施形態の加飾ラベル１２及び加飾容器も、第１実施形態と同様に、内外温度差により、加飾ラベル１２の表面に水分が付着し、当初は見えていなかったデザインが表れるようになる。
【００３７】
［第３実施形態］
第３実施形態は、被着体に貼り付けて使用される加飾ラベルに関する。
本実施形態の加飾ラベル１３は、枚葉状であり、粘着剤層を介して被着体に貼り付けることによって使用される。
図１２は、第３実施形態の加飾ラベルの平面図であり、図１３は、その加飾ラベルを横方向において切断した断面図である。
第３実施形態の加飾ラベル１３も、第１実施形態と同様に、ラベル基材３と、デザイン印刷層４と、艶消し層５と、親水化層２と、を有し、必要に応じて、滑り層（図示せず）などを有する。
本実施形態の加飾ラベル１３は、最も裏面側に粘着剤層７を有する。
【００３８】
本実施形態において、ラベル基材３は、熱収縮性フィルム又は自己伸縮性フィルムを用いてもよく、或いは、熱収縮性及び自己伸縮性を有さないフィルムを用いてもよい。熱収縮性及び自己伸縮性を有さないフィルムとしては、合成樹脂フィルムのほか、紙、合成紙などが挙げられる。
また、デザイン印刷層４は、上記第１実施形態と同様に、ラベル基材３の表面側又は／及び裏面側に設けられ、好ましくは、図示例のように、ラベル基材３の表面側に設けられる。
艶消し層５は、上記第１実施形態と同様に、ラベル基材３の表面側に設けられ、親水化層２は、加飾ラベル１３の最表面を構成するように設けられる。
粘着剤層７は、従来公知の粘着剤を用いることができ、例えば、感圧粘着剤、感熱粘着剤などを用いることができる。
【００３９】
本実施形態の加飾ラベル１３は、粘着剤層７を介して容器などの被着体の外面に貼り付けることによって、加飾容器（図示せず）を得ることができる。好ましくは、前記親水化層２が設けられた領域を容器などの被着体の平滑な外面に対応させて貼り付ける。
本実施形態の加飾ラベル１３及び加飾容器も、第１実施形態と同様に、内外温度差により、加飾ラベル１３の表面に水分が付着し、当初は見えていなかったデザインが表れるようになる。
【００４０】
［その他の実施形態］
上記各実施形態では、艶消し層５が設けられているが、艶消し層を設けない加飾ラベル１１，１２，１３であってもよい。また、ラベル基材３の表面に、ラベルの傷付きを防止するために、透明な保護印刷層が設けられていてもよい。特に、前記艶消し層を設けない場合には、艶消し層に代えて前記保護印刷層を設けることが好ましい。
また、上記各実施形態では、加飾ラベル１１，１２，１３を全体的に平滑な外面を有する容器８に装着する場合を例示したが、本発明の加飾ラベル１１，１２，１３は、容器として、リブやパネルなどの凹凸面が形成された容器（例えば、いわゆるＰＥＴ容器など）に装着してもよい。この場合、本発明の加飾ラベル１１，１２，１３を、前記凹凸面を含んで装着してもよく、凹凸面が形成された容器が平滑な外面を有する場合には、その平滑な外面に装着してもよい。
さらに、上記第３実施形態の加飾ラベル１３を、インモールドラベルとして使用することもできる。インモールドラベルは、合成樹脂容器の成形時に、樹脂成形と同時に容器に一体化されるラベルである。インモールドラベルとして使用する場合には、上記第３実施形態の粘着剤層７が、成形樹脂に接着する接着剤層に置換される。
【符号の説明】
【００４１】
１１，１２，１３  加飾ラベル
２  親水化層
３  ラベル基材
４  デザイン印刷層
５  艶消し層
９  加飾容器
【図１】
2018049063.tif 000003
【図２】
2018049063.tif 000004
【図３】
2018049063.tif 000005
【図４】
2018049063.tif 000006
【図５】
2018049063.tif 000007
【図６】
2018049063.tif 000008
【図７】
2018049063.tif 000009
【図８】
2018049063.tif 000010
【図９】
2018049063.tif 000011
【図１０】
2018049063.tif 000012
【図１１】
2018049063.tif 000013
【図１２】
2018049063.tif 000014
【図１３】
2018049063.tif 000015